(57)【特許請求の範囲】
【請求項１】
貯油タンク、エンジンからの動力を受けて前記貯油タンクの燃料油を給油ノズルに送液する給油ポンプ、流量をパルス信号として出力する流量計測手段、
及び前記パルス信号に基づいて給油量を演算する計数手段と、前記計数手段の内容を表示する表示器と、前記パルス信号を積算するディリーカウンタと、給油開始を指令する給油スイッチとから構成された給油量表示装置をそれぞれ車外に設けたローリのデータ管理装置において、
前記データ管理装置は、前記ローリの車室に配置され、前記給油スイッチからの信号に基づいて前記計数手段の内容を格納するディリーメモリと、前記ディリーカウンタに積算されている合計の給油量を格納するマンスリーメモリと、プリンタと、前記ディリーメモリの内容の印刷を指令するディリースイッチと、前記ディリーメモリのリセットを指令するディリーリセットスイッチと、プリント制御手段とを備え、
前記プリント制御手段は、給油が終了した段階で出力される前記給油スイッチからの信号により前記計数手段の内容に基づいて前記プリンタにより請求書を発行させ、また前記ディリースイッチが操作された時点で前記ディリーメモリの内容に基づいて前記プリンタにより日報を発行させ、さらに前記ディリーリセットスイッチが操作された時点で車外の前記ディリーカウンタに積算されている給油量の合計値を前記マンスリーメモリに転送させてから前記ディリーメモリと車外の前記ディリーカウンタとをリセットさせるように構成されているローリ用データ管理装置。
【請求項２】
前記プリント制御手段は、前記ディリースイッチが操作された時点で前記ディリーメモリの内容と、１日の給油量の合計として前記ディリーカウンタの内容を前記プリンタに出力させて前記日報を発行させる請求項１に記載のローリ用データ管理装置。
【請求項３】
前記マンスリーメモリの内容の印刷を指令するマンスリースイッチと、マンスリーメモリの内容のリセットを指令するマンスリーリセットスイッチとを備え、
前記マンスリースイッチが操作された時点で前記マンスリーメモリの内容に基づいて前記プリンタにより月報を発行させ、また前記マンスリーリセットスイッチが操作された時点で前記マンスリーメモリをリセットする請求項１に記載のローリ用データ管理装置。
【発明の詳細な説明】
【０００１】
【発明が属する技術の分野】
本発明は、燃料油を各消費地に配送するローリに適したデータ管理装置に関する。
【０００２】
【従来の技術】
例えば、各家庭や工場等に灯油や重油を配送するタンクローリは、貯油タンクと、エンジンからパーテコ等の伝導手段を介して動力を受ける給油ポンプ、給油ホース、流量計等の計量機構を車両に装荷するとともに、流量計に付属している流量パルス発信器からの信号を計数し、この計数内容を表示する表示器と、１日の給油総計をカウントするディリーカウンタとからなる給油量表示装置により構成されている。
【０００３】
そして車室にプリンタを設置し、給油量表示装置とケーブルで接続して、取り引き時の伝票発行や、作業管理のための報告書を作成できるように構成されている。
このように構成されたローリは、給油開始に先立って伝導手段により給油ポンプをエンジンに接続し、また給油スイッチにより表示器をリセットしてから、給油ノズルをタンクに挿入して給油が行われる。給油量は表示器に表示されるとともに、ディリーカウンタで積算される。
【０００４】
各給油作業の終了後には給油量に基づいて請求書等の伝票を発行し、また一日の作業が終了した段階ではディリカウンタの内容に基づいて日報を作成し、日報作成後、給油量表示装置のディリーカウンタリセットスイッチを操作することによりディリーカウンタをリセットして翌日の給油作業に備えることが行われている。
【０００５】
【発明が解決しようとする課題】
このため、日報の印刷後に車外に出てリセットスイッチを操作する必要があり、リセット操作の忘却によりディリーカウンタに複数日の給油量が加算されてしまうというの問題がある。
本発明はこのような問題に鑑みてなれたものであって、その目的とするところはディリーカウンタを車室からリセットすることができる機能を備えたローリ用データ管理装置を提供することである。
【０００６】
【課題を解決するための手段】
このような問題を解消するために本発明においては、貯油タンク、エンジンからの動力を受けて前記貯油タンクの燃料油を給油ノズルに送液する給油ポンプ、流量をパルス信号として出力する流量計測手段、及び前記パルス信号に基づいて給油量を演算する計数手段と、前記計数手段の内容を表示する表示器と、前記パルス信号を積算するディリーカウンタと、給油開始を指令する給油スイッチとから構成された給油量表示装置をそれぞれ車外に設けたローリのデータ管理装置において、前記データ管理装置は、前記ローリの車室に配置され、前記給油スイッチからの信号に基づいて前記計数手段の内容を格納するディリーメモリと、前記ディリーカウンタに積算されている合計の給油量を格納するマンスリーメモリと、プリンタと、前記ディリーメモリの内容の印刷を指令するディリースイッチと、前記ディリーメモリのリセットを指令するディリーリセットスイッチと、プリント制御手段とを備え、前記プリント制御手段は、給油が終了した段階で出力される前記給油スイッチからの信号により前記計数手段の内容に基づいて前記プリンタにより請求書を発行させ、また前記ディリースイッチが操作された時点で前記ディリーメモリの内容に基づいて前記プリンタにより日報を発行させ、さらに前記ディリーリセットスイッチが操作された時点で車外の前記ディリーカウンタに積算されている給油量の合計値を前記マンスリーメモリに転送させてから前記ディリーメモリと車外の前記ディリーカウンタとをリセットさせるように構成されている。
【０００７】
【作用】
車室に搭載されているデータ管理装置のディリーリセットスイッチを操作することにより、ディリーメモリとディリーカウンタが同時にリセットすることができる。
【０００８】
【発明の実施の形態】
そこで以下に本発明の詳細を図示した実施例に基づいて説明する。
図１は、本発明の一実施例を示すもので、先ずローリの基本構造について説明する。
車両１のエンジン２からパーテコ等の伝導機構３を介して動力を受けて貯油タンク４の燃料油を送液する給油ポンプ５と、給油ポンプ５からの吐出量を測定する流量計６と、流量計６での測定結果を流量パルスに変換して出力する流量パルス発信器７と、先端に給油ノズル８が接続された給油ホース９を巻き取るホースリール１０と、流量パルス発信器７からの流量パルスを受ける給油量表示装置２０とが設けられている。
【０００９】
この給油量表示装置２０は、後述する信号処理手段により処理されて給油量を表すデータを表示する発光ダイオード等や、バックライトを備えた自発光性の表示器２１と、給油開始時に表示器２１を点灯表示させる給油スイッチ２２を設けて構成されていて、車外の見易い位置に設けられている
【００１０】
そして、車室にデータ管理装置３０が設けられている。これは、パネル面にディリースイッチ３２、ディリリセットスイッチ３３、マンスリースイッチ３４、及びマンスリーリセットスイッチ３５、及びプリンタ３６を備えていて、ケーブル３９を介して車外の給油量表示装置２０に接続されていて、両者の間で通信できるように構成されている。なお、図中符号１５は伝導軸を、また１６、１７はそれぞれ配管を示す。
【００１１】
図２は、本発明の一実施例を示すものであって、先ず給油量表示装置２０について説明する。
図中符号２４は、後述するデータ管理装置３０との間で通信が可能な表示制御手段で、給油スイッチ２２からの信号を受けて、計数手段２５をリセットし、データ管理装置３０からの信号を受けてデーリカウンタ２６に積算されているデータの出力とリセットを行うものである。
【００１２】
なお、計数手段２５は、給油時の流量パルスを計数して表示器２１に出力するものであり、またディリーカウンタ２６は、流量パルスを積算するものである。
【００１３】
次に車室に載置される給油量管理装置３０について説明する。
３１は、プリント制御手段で、給油量表示装置２０の表示制御手段２４から給油スイッチ２２の操作により出力される給油終了信号と、計数手段２５の給油量データの入力を受けて、給油終了信号が入力した時点のタイマ３８の時刻とともにプリンタ３６により伝票、この実施例では請求書と請求書控えを発行するとともに、データ記憶手段３７のディリーメモリ３７ａに給油量と時刻とを格納する。
【００１４】
またデイリースイッチ３２がオンにされた場合にはデータ記憶手段３７のディリーメモリ３７ａの全ての内容を時刻順に出力させるとともに、ディリーカウンタ２６からその内容を転送させてプリンタ３６により各給油作業での給油量と１日の合計給油量とを日報として発行する。
【００１５】
また、日報の発行が終了した段階でディリーリセットスイッチ３３がオンにされた場合にはディリーカウンタ２６の内容をマンスリーメモリ３７ｂに転送してから、ディリーメモリ３７ａ及びディリーカウンタ２６をリセットする。
【００１６】
そしてマンスリースイッチ３４がオンにされた場合に、マンスリーメモリ３７ｂの内容をプリンタ３６に出力させて月報に印刷し、月報の印刷後にマンスリーリセットスイッチ３５がオンにされたときにはマンスリーメモリ３７ｂをリセットするものである。
【００１７】
次にこのように構成した装置の動作を図３、図４に示したフローチャートに基づいて説明する。
エンジン２を作動させて伝導手段３により給油ポンプ５をエンジン２に接続すると、給油ポンプ５が作動して給油が可能な状態となる。
【００１８】
給油を開始すべく給油スイッチ２２をオンにすると（図３  ステップ  イ）、計数手段２５に格納されている前回の給油量がリセットされて表示器２１が帰零する（図３  ステップ  ロ）。
【００１９】
この状態で給油ノズル８をタンクに挿入して給油レバーを引くと、給油が開始されて流量パルス発信器７から流量パルスが出力する（図３  ステップ  ハ）。この流量パルスは、計数手段２５によりカウントされて表示器２１に給油量として表示され、またディリーカウンタ２６でトータルの給油量として積算される（図３  ステップ  ニ）。
【００２０】
給油が所定量に到達した段階で給油レバーを戻し、伝導手段３により給油ポンプ５とエンジン２との接続を断って給油ポンプ５を停止させ、給油作業を終了する。給油スイッチ２２をオフにすると（図３  ステップ  ホ）、表示制御手段２４は、給油スイッチ２２のオフにより出力された給油終了信号と計数手段２５の給油量とをケーブル３９を介してプリント制御手段３１に転送する（図３  ステップ  ヘ）。
【００２１】
プリント制御手段３１は、表示制御手段２４から給油終了信号が転送されて時点で（図４  ステップ  イ）、転送された計数手段２５の給油量と、タイマ３８からの時刻データとをプリンタ３６に出力して図５に示したような請求書と請求書控を発行し、同時にこれらのデータをディリーメモリ３７ａに転送して各給油作業の終了時刻と給油量とを記憶させる（図４  ステップ  ロ）。
【００２２】
以下、このような作業を繰返して複数回の給油を行って１日の作業を終えた段階で、データ管理装置３０のディリースイッチ３２をオンにすると（図４  ステップ  ハ）、プリント制御手段３１は、ディリーカウンタ３７ａに格納されている各給油作業による給油量と時刻データとを順次項目順に印刷する。
【００２３】
ディリーカウンタ３７ａの全てのデータを印刷した段階で、ケーブル３９を介してデイリーカウンタ２６の合計給油量のデータを呼び出して１日の合計給油量を印刷して、図６に示したような日報を出力する（図４  ステップ  ニ）。
【００２４】
印刷が終了した段階で、ディリーリセットスイッチ３３をオンにすると（図４ステップ  ホ）、プリント制御手段３１はディーリカウンタ２６に積算されている合計の給油データを当日の日付とともにマンスリーメモリ３７ｂに転送して格納させ（図４  ステップ  ヘ）、ディリーメモリ３７ａの内容をリセットし、ディリーカウンタリセット信号を出力する（図４  ステップ  ト）。
【００２５】
このディリーカウンタリセット信号はケーブル３９を介して表示制御手段２４にも転送され（図３  ステップ  ト）、表示制御手段２４によりディリーカウンタ２６がリセットされる（図３  ステップ  チ）。
【００２６】
これにより、日報を発行した段階で車室のデータ管理装置３０からスイッチ３３を操作するだけで、車外のディリーカウンタ２６を簡単にリセットすることができる。
【００２７】
このようにして１ヶ月間の販売が終了した段階で、マンスリースイッチ３４をオンにすると（図４  ステップ  チ）、プリント制御手段３１は、マンスリーメモリ３７ｂのデータを読出して、図７に示したように隔日の総計の給油量と、これらの合計値とに基づいてプリンタ３６により月報を印刷する（図５  ステップリ）。
【００２８】
月報の印刷が終了した段階でマンスリーリセットスイッチ３５をオンにすると（図４  ステップ  ヌ）、プリント制御手段３１は、マンスリーメモリ３７ｂに格納されているデータをリセットする（図４  ステップ  ル）。
【００２９】
【発明の効果】
以上、説明したように本発明によれば、車室に搭載されているデータ管理装置のディリーリセットスイッチを操作するだけで、ディリーメモリとディリーカウンタが同時にリセットすることができて、車外に配置されていて車外で操作しなければならないディリーカウンタのリセット操作の忘却を防止することができる。
【図面の簡単な説明】
【図１】本発明のタンクローリの概要を示す図である。
【図２】本発明のタンクローリの一実施例を示す構成図である。
【図３】表示制御の動作を示すフローチャートである。
【図４】プリント制御の動作を示すフローチャートである。
【図５】同上装置により発行された請求書の一実施例を示す図である。
【図６】同上装置により発行された日報の一実施例を示す図である。
【図７】同上装置により発行された月報の一実施例を示す図である。
【符号の説明】
２  自動車エンジン
３  伝導手段
４  貯油タンク
５  給油ポンプ
６  流量計
７  流量パルス発信器
２０  給油量表示装置
２２  給油スイッチ
３０  データ管理装置
３２  ディリースイッチ
３３  ディリーリセットスイッチ
３４  マンスリースイッチ
３５  マンスリーリセットスイッチ
３７  データ記憶手段
３７ａ  ディリーメモリ
３７ｂ  マンスリーメモリ
【図１】
0003714429.tif 000002
【図２】
0003714429.tif 000003
【図３】
0003714429.tif 000004
【図４】
0003714429.tif 000005
【図５】
0003714429.tif 000006
【図６】
0003714429.tif 000007
【図７】
0003714429.tif 000008